(57)【要約】【課題】排気が清潔で、かつ振動音を低減できる電気掃除機を提供する。【解決手段】電動送風機１０を収容するケースに設けられた吸込部と、電動送風機１０に設けられ、吸込部に連通される吸込口１０ａと、吸込部と吸込口１０ａとの間に介設され、電動送風機１０の略軸方向における気密を保持する気密部材３５と、気密部材３５とは別に設けられ、電動送風機１０を支持する弾性支持手段５０と、を備えた電気掃除機１であって、弾性支持手段５０は、電動送風機１０の回転軸方向の全長Ｌの中心位置よりも気密部材３５側となる位置で、回転軸１３に直交する方向から電動送風機１０を支持している構成とした。【選択図】図２
2013000137.tif 000002
【特許請求の範囲】
【請求項１】
電動送風機と、前記電動送風機を収容するケースと、前記ケースに設けられた吸込部と、前記電動送風機に設けられ、前記吸込部に連通される吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、
前記弾性支持手段は、前記電動送風機の回転軸方向の全長の中心位置よりも前記気密部材側となる位置で、回転軸に直交する方向から前記電動送風機を支持していることを特徴とする電気掃除機。
【請求項２】
電動送風機と、前記電動送風機を収容するケースと、前記ケースに設けられた吸込部と、前記電動送風機に設けられ、前記吸込部に連通する吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、
前記ケースは、フィルタが設けられた第１の部材と、前記吸込部を有する第２の部材とを含み、前記第１の部材と前記第２の部材とがシール部材を介して結合されてなり、
前記弾性支持手段は、前記電動送風機の回転軸方向の全長の中心位置よりも前記気密部材側となる位置で、回転軸に直交する方向から前記電動送風機を支持していることを特徴とする電気掃除機。
【請求項３】
電動送風機と、前記電動送風機を収容するケースと、前記ケースに設けられた吸込部と、前記電動送風機に設けられ、前記吸込部に連通する吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、
前記電動送風機は、その回転軸が鉛直方向とされた姿勢で前記ケース内に支持されており、
前記弾性支持手段は、前記電動送風機の回転軸方向の全長の中心位置よりも前記気密部材側となる位置で、回転軸に直交する方向から前記電動送風機を支持していることを特徴とする電気掃除機。
【請求項４】
請求項１から請求項３のいずれか１項に記載の電気掃除機であって、
前記弾性支持手段は、支持部材に支持されていることを特徴とする電気掃除機。
【請求項５】
請求項１から請求項４のいずれか１項に記載の電気掃除機であって、
前記電動送風機は、回転子を収容するモータケーシングと、前記モータケーシングよりも大径に形成され、送風機を収容するファンケーシングと、を備えており、
前記弾性支持手段は、前記ファンケーシングを支持していることを特徴とする電気掃除機。
【請求項６】
請求項１から請求項５のいずれか１項に記載の電気掃除機であって、
前記電動送風機は、振動の節に相当する位置の近傍で前記弾性支持手段により支持されていることを特徴とする電気掃除機。
【発明の詳細な説明】
【技術分野】
【０００１】
本発明は電気掃除機に関する。
【背景技術】
【０００２】
従来、電動送風機を内蔵する電気掃除機では、電動送風機の振動が、電動送風機から掃除機本体の筺体へ伝播し、筺体へ伝播した振動が筺体から大気へと伝播して振動を発生することが知られている。
【０００３】
このような振動による騒音を低減する方法としては、振動源である電動送風機の振動発生を直接的に抑える方法や、電動送風機の振動の伝播を低減する方法が知られている。このうち、電動送風機の振動の伝播を低減する方法としては、特許文献１に開示されたものが知られている。
【０００４】
特許文献１の電気掃除機では、電動送風機と電動送風機を覆うモータカバーとを備えており、モータクッションを介して電動送風機がモータカバーに支持されている。
【０００５】
一方、電気掃除機に用いられる電動送風機は、吸気口から吸い込んだ空気を排気口から吐き出すことで吸込性能を得ている。このため、電気掃除機では、掃除機本体の内部において排気口から吐き出された空気が吸気口に吸い込まれて循環しないように、排気口側と吸気口側のそれぞれの気密性を保持する必要がある。
【０００６】
このような気密性の保持を図りつつ、電動送風機の振動の伝播を低減するものとして、特許文献２に開示されたものが知られている。
特許文献２の電気掃除機では、電動送風機の吸気口に、気密性と防振性とを有するシール部材が設けられ、このシール部材とは別に、電動送風機の胴部を本体ケースに対して支持する付勢手段が設けられている。この付勢手段によって、電動送風機の上下端が回転軸に対して同じ位相で回転する並進運動を防止することができる。
【先行技術文献】
【特許文献】
【０００７】
【特許文献１】特開２００８−２１２５００号公報
【特許文献２】特開２０１０−２５９４８８号公報
【発明の概要】
【発明が解決しようとする課題】
【０００８】
特許文献１の電気掃除機では、電動送風機のファンケーシング周りを支持しているモータクッションが、断面略コ字形状を呈しており、ファンケーシングを下面側及び外周面側の２つの方向から覆うようにして支持する構造となっていた。このため、電動送風機の上下端が回転軸に対して違う位相で回転するコニカル振動が電動送風機に生じた場合に、モータクッションを通じてモータカバーに振動が伝播するおそれがあった。
【０００９】
また、特許文献２の電気掃除機では、前記したように電動送風機の上下端が回転軸に対して同じ位相で回転する並進運動を防止することができるものの、付勢手段は電動送風機の吸込口と反対側の端部近傍において（吸込口から間隔を隔てた軸方向反対側の端部近傍において）電動送風機を支持しているので、この場合にも電動送風機の上下端が回転軸に対して違う位相で回転するコニカル振動が生じると、これを好適に抑えることができなくなるおそれがあった。
【００１０】
一方、特許文献１，２の電気掃除機において、ファンケーシングやシール部材による防振効果を高めるためには、振動に併せてこれらが柔軟に変形するように構成することが考えられる。しかしながら、そのようにすると、電動送風機の支持性能の低下を来たすおそれがあり、これが気密性能の低下に繋がって、吸込性能が低下するおそれがあった。また、これとは逆に、気密や、支持を安定させようとして、ファンカバーやシール部材の剛性を高めると、防振効果が低下して振動が増大するおそれがあった。このため、吸込性能を維持しつつ防振効果の得られる技術の開発が望まれていた。
【００１１】
そこで本発明は、電気掃除機の吸込性能を低減させることなく、電動送風機からの振動伝播を抑制して騒音を低減することができる電気掃除機を提供することを目的とする。
【課題を解決するための手段】
【００１２】
上記目的を達成するために、本発明の電気掃除機は、電動送風機と、前記電動送風機を収容するケースと、前記ケースに設けられた吸込部と、前記電動送風機に設けられ、前記吸込部に連通される吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、前記弾性支持手段は、前記電動送風機の回転軸方向の全長の中心位置よりも前記気密部材側となる位置で、回転軸に直交する方向から前記電動送風機を支持していることを特徴とする。
また、本発明の電気掃除機は、電動送風機と、前記電動送風機を収容するケースと、前記ケースに設けられた吸込部と、前記電動送風機に設けられ、前記吸込部に連通する吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、前記ケースは、フィルタが設けられた第１の部材と、前記吸込部を有する第２の部材とを含み、前記第１の部材と前記第２の部材とがシール部材を介して結合されてなり、前記弾性支持手段は、前記電動送風機の回転軸方向の全長の中心位置よりも前記気密部材側となる位置で、回転軸に直交する方向から前記電動送風機を支持していることを特徴とする。
さらに、本発明の電気掃除機は、電動送風機と、前記電動送風機を収容するケースと、前記ケースに設けられた吸込部と、前記電動送風機に設けられ、前記吸込部に連通する吸込口と、前記吸込部と前記吸込口との間に介設され、前記電動送風機の略軸方向における気密を保持する気密部材と、前記気密部材とは別に設けられ、前記電動送風機を支持する弾性支持手段と、を備えた電気掃除機であって、前記電動送風機は、その回転軸が鉛直方向とされた姿勢で前記ケース内に支持されており、前記弾性支持手段は、前記電動送風機の回転軸方向の全長の中心位置よりも前記気密部材側となる位置で、回転軸に直交する方向から前記電動送風機を支持していることを特徴とする。
【発明の効果】
【００１３】
本発明によれば、電気掃除機の吸込性能を低減させることなく、電動送風機からの振動伝播を抑制して騒音を低減することができる電気掃除機提供することができる。
【図面の簡単な説明】
【００１４】
【図１】本発明の第１実施形態に係る電気掃除機の外観を示す斜視図である。
【図２】本発明の第１実施形態に係る電気掃除機の掃除機本体を示す拡大縦断面図である。
【図３】（ａ）は本発明の第１実施形態に係る電気掃除機に用いられる塵埃収容部の前蓋を開いた状態を示す斜視図、（ｂ）は同じく塵埃収容部のフィルタを開いた状態を示す斜視図である。
【図４】要部の分解斜視図である。
【図５】吸気ダクトを電動送風機側（下側）から見たときの分解斜視図である。
【図６】図５に示した気密部材を吸気ダクト側（上側）から見た斜視図である。
【図７】図５に示した固定部材を吸気ダクト側（上側）から見た斜視図である。
【図８】電動送風機の支持構造を示した部分拡大断面図である。
【図９】気密部材及び弾性支持手段を示した部分断面図である。
【図１０】電動送風機の部分断面図である。
【図１１】掃除機本体の内部構造を示した上面図である。
【図１２】本発明の第２実施形態の電気掃除機の掃除機本体を示した拡大縦断面図である。
【発明を実施するための形態】
【００１５】
以下、本発明を実施するための形態を適宜図面を参照しながら説明するが、本実施形態は以下の内容に限定されるものではなく、本発明の要旨の範囲で任意に変更して実施可能である。
なお、以下では、図２に示すように、掃除機本体２において、ホース部３（図１参照）が接続される接続口２ａが形成される側を前側、排気口２ｄが形成される側を後側、把手２６が設けられる側を上側、基板等の電装品４８が設けられる側を下側として説明する。また、図１１に示すように、掃除機本体２の左車輪５５ａが設けられる側を左側、右車輪５５ｂが設けられる側を右側として説明する。
【００１６】
（第１実施形態）
図１に示すように、電気掃除機１は、掃除機本体２と、ホース部３と、手元操作スイッチＳＷ等が設けられた操作管４と、伸縮自在に設けられた延長管５と、第２の吸込具６及び第１の吸込具７とを備えて構成されている。
掃除機本体２の内部には、後記する電動送風機１０（図２参照）を備え、電動送風機１０により発生させた吸引力により、塵埃を第１の吸込具７等から吸引する。掃除機本体２から第１の吸込具７までのホース部３、操作管４、延長管５、第２の吸込具６の内部には、図示しない通風路が設けられており、第１の吸込具７から吸引された塵埃は、第２の吸込具６、延長管５、操作管４、ホース部３を通じて掃除機本体２に吸引される。
【００１７】
図２に示すように、掃除機本体２は、前端部に、管状の接続口２ａを備えている。掃除機本体２の前部側には、接続口２ａから吸い込んだ塵埃を分離収集する集塵装置２０が備わり、掃除機本体２の後部側には、集塵装置２０に連通して吸引力を発生する電動送風機１０が備わる。
接続口２ａには、ホース部３（図１参照）に設けられた継手管３ａが挿入されて保持されるようになっている。接続口２ａの一端には、シール部材２ｂが設けられており、シール部材２ｂは、継手管３ａと集塵装置２０側に設けられた入口管２０ａとの気密を保持するようになっている。掃除機本体２の前部下面（集塵装置２０の下方）には、キャスタを支持するためのキャスタ支持部２ｃが設けられている。
【００１８】
集塵装置２０は、塵埃分離部２１と塵埃収容部２２とを有して構成されている。塵埃分離部２１は、吸い込んだ空気を旋回させ、遠心分離作用（サイクロン方式）によって塵埃を分離する部分である。塵埃収容部２２は、塵埃分離部２１に連通しており、塵埃分離部２１で分離された塵埃を収容する集塵かご２７を内部に備えている。
【００１９】
塵埃分離部２１と塵埃収容部２２とは、集塵装置２０の軸方向（前後傾斜方向）に配列され、それぞれの向かい合う軸方向端部同士が接続されて空気の通流可能に連通されており、使用者の操作によって容易に分離可能に構成されている。このうち塵埃分離部２１は、掃除機本体２の前側に配置され、塵埃収容部２２は、塵埃分離部２１よりも掃除機本体２の斜め後側に配置されている。塵埃分離部２１の前端部には、開口部２１ａが設けられており、その開口部２１ａが入口管２０ａに接続されている。なお、塵埃分離部２１の前端部の円周面を入口管２０ａに対して接続してもよい。
【００２０】
塵埃分離部２１は、外筒２１ｂと、この外筒２１ｂ内に設けられ、フィルタ機能を有する内筒２１ｃとを有している。内筒２１ｃの周面には、複数の貫通孔２１ｄが形成されている。塵埃分離部２１内において、空気は、貫通孔２１ｄを通じて内筒２１ｃの外側（外筒２１ｂの内側）から内筒２１ｃの内側に流れるようになっており、その際、貫通孔２１ｄを通らない大きなゴミが外筒２１ｂと内筒２１ｃとの間に分離されるようになっている。この場合、吸込力にもよるが、例えば、１円玉以上の重さを有するゴミは、外筒２１ｂ内において吸い上げられることなく、外筒２１ｂ内に残されるようになっている。
【００２１】
これらの外筒２１ｂと内筒２１ｃとは、使用者の操作によって容易に分離可能に設けられている。これによって、ゴミ捨て時には、外筒２１ｂと内筒２１ｃとを分離することによって、外筒２１ｂの内部に堆積したゴミを排出することができ、内筒２１ｃの貫通孔２１ｄに引っ掛かった髪の毛や糸屑等のゴミがある場合にも、これを容易に除去することができる。
【００２２】
図２に示すように、塵埃収容部２２は、縦断面で略逆三角形状とされた中空状の収容ケース２２ａを備え（図３（ａ）参照）、収容ケース２２ａの前側開口を塞ぐ前蓋２３と、収容ケース２２ａの後側開口を塞ぐ後蓋として機能するフィルタ２４とを有している。
前蓋２３は、ヒンジ部２３ａを中心として開閉可能に設けられており、閉じられた状態で、その前面が前側に配置された塵埃分離部２１の後部に当接するようになっている。前蓋２３の後面上部には、フック部２３ｂが後方へ向けて突設されている。このフック部２３ｂは、収容ケース２２ａの前側開口縁に設けられた受け部２２ｂに係止可能となっており、フック部２３ｂを受け部２２ｂに係止することで、収容ケース２２ａの前側開口に前蓋２３が閉じられた状態で保持されるようになっている。これにより、前蓋２３が不意に開くことが防止されている。
【００２３】
収容ケース２２ａの上部には、使用者による押下操作可能なボタン２５（レバー等の部材でもよい）が設けられている。ボタン２５には、収容ケース２２ａの前側に延びる伝達棒（ロッド）２５ａが連結されている。伝達棒２５ａの後端は、ボタン２５に連結され、伝達棒２５ａの他端は、受け部２２ｂに連結されている。
このような構成において、使用者によりボタン２５が押下操作されると、伝達棒２５ａが前側へスライド移動して受け部２２ｂが前方へ突出移動し、受け部２２ｂとフック部２３ｂとの係止が解除されるようになっている。そして、受け部２２ｂとフック部２３ｂとの係止が解除されると、図３（ａ）に示すように、ヒンジ部２３ａを中心として、前蓋２３が開くようになっている。
【００２４】
収容ケース２２ａの前側開口は、鉛直方向から略４５〜５０度前側へ傾斜している。収容ケース２２ａの上部には、略水平方向に延設された把手２６が設けられている。ゴミ捨て時に使用者は、この把手２６を握って塵埃収容部２２を上方へ持ち上げることができ、塵埃分離部２１を掃除機本体２に残したまま、塵埃収容部２２のみを掃除機本体２から取り外すことができる。ここで、使用者が把手２６を握って塵埃収容部２２を上方に持ち上げると、前蓋２３は斜め下方向を向いて傾いた状態で閉じられているので、例えば、把手２６を握る手でボタン２５を押下操作すると、受け部２２ｂとフック部２３ｂとの係止が解除されて、前蓋２３がヒンジ部２３ａを支点として自重により前方へ倒れて回動し、収容ケース２２ａの前側開口が開く状態となる。
【００２５】
集塵かご２７は、図２に示すように、断面略台形状を呈しており、塵埃収容部２２に収容されている。集塵かご２７は、上下に分割された上容器２７ａと下容器２７ｂとが後部の蝶番２７ｃを介して連結されてなり、ゴミ捨て時には、図３（ａ）に示すように、上容器２７ａと下容器２７ｂが蝶番２７ｃにより上下方向に開きながらヒンジ部２７ｅを中心として回動するようになっている。
なお、集塵かご２７は、開口と反対側（後方側）に凹んだ形状を有していればよく、その形状は、一つの面が開口したかご形状、箱形状または容器形状であってもよいし、ちり取り形状であってもよい。
また、集塵かご２７の前後方向の断面形状は、略四角形状であってもよいし、略円形状であってもよいし、略三角形状であってもよい。好ましくは、開口する側（前側）から底面側（後側）へ向けて断面が小さくなるように形成されているのがよい。このように形成することによって、塵埃が排出される側（開口側）に向けて断面積が拡がるため、使用者は、集塵かご２７内に堆積した塵埃を容易に排出することができる。
【００２６】
集塵かご２７は、枠体２７ｄ（支骨）を有しており、開口以外の底面、上下左右面に、金属やナイロン等からなるメッシュ部材が被覆または貼着されている。このように、集塵かご２７の底面だけでなく、上下左右面にも通気性を持たせることによって、集塵かご２７の底面に塵埃が堆積しても流路を確保することができる。このことは、吸い込み空気の圧力損失を低減し、吸引力の低下を抑制することに寄与する。
メッシュ部材は、通気性があり、塵埃を捕集するフィルタ機能を有する。なお、メッシュ部材は、フィルタ機能を有するものであれば、メッシュ部材の代わりにコンビニエンスストア等で手軽に購入することのできる使い捨てのティッシュペーパを用いてもよいし、メッシュ部材とティッシュペーパとを組み合わせてもよい。例えば、使用者により、メッシュ部材の上にティッシュペーパを装着してもよい。
【００２７】
なお、集塵かご２７に図示しないばね等の付勢手段を設け、ボタン２５の押下操作時に、この付勢手段によって収容ケース２２ａの前側へ集塵かご２７が飛び出すように構成することで、この付勢手段の付勢力を利用して前蓋２３を集塵かご２７で押し開けるように構成してもよい。
【００２８】
後側のフィルタ２４は、ヒンジ部２４ａを中心として開閉可能に設けられており、閉じられた状態で、その後面が後側に配置された吸気ダクト３０の前部に当接する（前部を覆う）ようになっている。
フィルタ２４は、図３（ｂ）に示すように、断面形状が略四角形の枠体２４ｂを備え、この枠体２４ｂ内にプリーツ状に折られたフィルタ部材２４ｃが配置されて形成されている。フィルタ部材２４ｃの波方向（山と谷との条方向）は上下方向（重力作用方向）であるのが好ましい。フィルタ部材２４ｃは、例えば、高密度のＨＥＰＡフィルタ（High Efficiency Particulate Air Filter）を用いることができる。ＨＥＰＡフィルタは、定格風量で粒径が０.３μｍの粒子に対して９９.９７％以上の粒子捕集率を有し、かつ初期圧力損失が２４５Ｐａ以下の性能を有している。
【００２９】
本実施形態では、フィルタ２４の後面（吸気ダクト３０に対峙する面）に、図２に示すように、パッキン２４ｄが設けられている。パッキン２４ｄは、塵埃収容部２２の後面（フィルタ２４の後面）と掃除機本体２（特に吸気ダクト３０）との気密を保持する。なお、パッキン２４ｄは、必ずしも設けなくてもよい。
また、２つのヒンジ部２３ａ及びヒンジ部２４ａを、一つのヒンジ部で共用してもよい。また、ヒンジ部２４ａは、フィルタ２４の下端部ではなく、フィルタ２４の上端部に備えられてもよい。
【００３０】
掃除機本体２の後側には、電動送風機１０が配置されている。電動送風機１０の上流側となる電動送風機１０の上方には、掃除機本体２の前後方向に延びる合成樹脂製のケースとしての吸気ダクト３０（第２の部材）が設けられている。電動送風機１０は合成樹脂製のケースとしての排気ダクト４０（第１の部材）に収容されており、電動送風機１０の下流側となる電動送風機１０の前方に延びるダクト部４２にはフィルタ４５が設けられている。
【００３１】
吸気ダクト３０の延設方向の前端には、開口３０ａが設けられており、この開口３０ａには、前方に配置される塵埃収容部２２のフィルタ２４に設けられたパッキン２４ｄが装着されるようになっている。開口３０ａには、集塵装置２０の外に残った塵埃を吸着する補助フィルタ３１が設けられている。この補助フィルタ３１により、下流側に配置された電動送風機１０に塵埃が吸い込まれることを好適に抑制している。
【００３２】
補助フィルタ３１の上部には、塵埃収容部２２のフィルタ２４に付着した塵埃を除去する除塵装置３２が設けられている。除塵装置３２は、回転体の外周に、図示しないらせん状のバネ（弾性体）を備えており、このらせん状のバネが、フィルタ２４のフィルタ部材２４ｃ（図３（ｂ）参照）を弾くことによって、フィルタ部材２４ｃに付着した塵埃を振るい落とすようになっている。
なお、除塵装置３２は、図示しないモータによる駆動や、図１１に示すように、コードリール６０の周囲に巻き付けられたコード６１の引き出し操作によって駆動されるように構成することができる。
【００３３】
図３（ｂ）に示すように、フィルタ部材２４ｃは、前記したように、その山谷方向が上下方向となっているので、振るい落とされた塵埃は重力作用方向に落ち易くなっている。フィルタ部材２４ｃから振るい落とされた塵埃は、収容ケース２２ａ内に堆積する。これによって、フィルタ部材２４ｃの目詰まりを防止することができ、空気の圧力損失の低下を抑制することができる。このことは、吸引力の低下の抑制に寄与する。
【００３４】
図２に示すように、吸気ダクト３０の延設方向の後端は、電動送風機１０に連通しており、吸気ダクト３０の後部側の下面には、電動送風機１０の吸込口１０ａに向けて開口する吸込部としての開口部３０ｎが形成されている。
また、開口部３０ｎの下縁周部には、電動送風機１０の略軸方向における気密を保持する気密部材３５が取り付けられている。これにより、集塵装置２０を通過した空気の流れは、吸気ダクト３０により偏向され、開口部３０ｎから吸込口１０ａを通じて電動送風機１０内に流入する。
【００３５】
気密部材３５は、図２、図５、図６に示すように、円環状を呈しており、合成ゴム等の弾性材からなる。気密部材３５は、ベース部３５ａと、このベース部３５ａから電動送風機１０（図２、図４参照）に向けて延設された円筒状のリップ部３５ｂと、ベース部３５ａの上面に形成された同心円状の複数の溝部３５ｃ（図６参照）と、を有している。同心円状の複数の溝部３５ｃは、図５に示すように、吸気ダクト３０の開口部３０ｎの下縁周部に設けられた同心円状の複数の突状部３２ａに対して係合可能である。
気密部材３５は、これらの突状部３２ａに溝部３５ｃをそれぞれ係合させて開口部３０ｎの下縁周部に配置され、下方から隔壁３０ｊに取り付けられる固定部材３６によりベース部３５ａが上下方向から挟持されるようにして吸気ダクト３０に固定される。
【００３６】
固定部材３６には、図５に示すように、固定用のねじ３７（図９参照）が挿通される複数のねじ孔３６ａが設けられ、また、周部に２つの突出部３６ｂが形成されている。複数のねじ孔３６ａは、隔壁３０ｊの下面に形成された複数のボス部３０ｇにそれぞれ対応しており、２つの突出部３６ｂは、隔壁３０ｊの下面に形成された２つの係合溝３０ｈに係合可能である。このため固定部材３６の位置決めが容易であり、製造時間の短縮を図ることができる。
また、固定部材３６の内周部には、図７に示すように、円環状の挟持片３６ｃが形成されている。この挟持片３６ｃは、図９に示すように、吸気ダクト３０の隔壁３０ｊ（図５参照）との間に気密部材３５のベース部３５ａを挟持可能である。
【００３７】
ここで、ボス部３０ｇが突出形成された隔壁３０ｊの上面側は、図２に示すように、集塵装置２０から電動送風機１０への導風路３０ｋとなっているので、図５に示すようなボス部３０ｇを設けないで固定部材３６を隔壁３０ｊに固定しようとすると、隔壁３０ｊ自体の厚みを増すか、導風路３０ｋ側にボス部を突出させて形成する必要が生じ、吸気ダクト３０の重量増や導風路３０ｋの空気の流れに抵抗が生じるおそれがある。
【００３８】
これに対して、本実施形態のようなボス部３０ｇを隔壁３０ｊの下面に形成することによって、前記のような隔壁３０ｊ自体の厚みを増したり、導風路３０ｋ側にボス部を突出させて形成したりする必要がなくなり、また、隔壁３０ｊと固定部材３６との間に気密部材３５を挟持することができるので、軽量化を図りつつ気密部材３５を好適に固定することが可能となる。このため、導風路３０ｋを空気が流れる際の抵抗の増加を伴わず、吸引力の低下を防ぐことができる。
【００３９】
吸気ダクト３０（隔壁３０ｊ）に気密部材３５が固定され、後記するようにして、吸気ダクト３０を排気ダクト４０に装着すると、図２に示すように、排気ダクト４０内に収容された電動送風機１０のファンケーシング１１の上面１１ａに気密部材３５のリップ部３５ｂが当接して密着する。これにより、吸気ダクト３０内とファンケーシング１１内が気密に連通する。
【００４０】
また、図５に示すように、吸気ダクト３０の隔壁３０ｊの周部には、排気ダクト４０の収容部４１に形成された凹部４１ｃに対応する位置に、３つの突片部３０ｍが形成されている。この突片部３０ｍは、排気ダクト４０に吸気ダクト３０を取り付けると、排気ダクト４０の凹部４１ｃ内に挿入されて、後記する弾性支持手段５０の弾性体５３を抜け止め保持するようになっている。
【００４１】
一方、排気ダクト４０は、図２、図４に示すように、電動送風機１０を収容する空間を備えた収容部４１と、収容部４１と一体的に形成されたダクト部４２と、を有している。収容部４１は、電動送風機１０のファンケーシング１１を収容する大径の第１収容部４１ａと、電動送風機１０のモータケーシング１２を収容する小径の第２収容部４１ｂと、を備えて構成されている。
【００４２】
本実施形態では、略円形の開口を有する第１収容部４１ａに、シール部材４６を介して吸気ダクト３０が接続されている。シール部材４６は、吸気ダクト３０の接続部に設けられた凹溝３０ｐ（図５参照）に収められ、この凹溝３０ｐと第１収容部４１ａの上縁部４１ｅ（図４参照）とに接して配置されている。
【００４３】
吸気ダクト３０と第１収容部４１ａとの固定は、図４に示すように、吸気ダクト３０の周縁に設けられたボス孔３０ｄに、図示しないねじを通し、これを第１収容部４１ａのボス部４１ｄに締結することで行うことができる。ねじの締結により、シール部材４６は、吸気ダクト３０の凹溝３０ｐ（図５参照）と排気ダクト４０の上縁部４１ｅとから一様に圧力を受けて変形し、気密状態を保持する。本実施形態では、吸気ダクト３０及び排気ダクト４０が合成樹脂製であるため、シリコンゴム製のシール部材４６を使用している。なお、シール部材４６として、変形量が大きく硬度の低い弾性部材や、接着性を有するものを使用しても差し支えない。
【００４４】
また、排気ダクト４０に備わるフィルタ４５の目詰まり発生に対処するため等、電動送風機１０が収容される空間の耐圧性能を高めたい場合には、ねじによる締結力を強くするために硬度の高い弾性部材でシール部材４６を形成してもよい。
また、吸気ダクト３０と排気ダクト４０とのねじによる締結箇所は、シール部材４６を略均一に変形させるために４箇所としたが、これに限られることはなく、シール部材４６を均一に変形させることができるものであれば、３箇所以下でもよいし、５箇所以上であってもよい。また、ねじによる締結ではなく、弾性体を利用したクランプ等の固定手段を用いてもよい。
【００４５】
本実施形態では、第１収容部４１ａの内側において、図２、図９に示すように、弾性支持手段５０を介してファンケーシング１１が弾性支持されている。つまり、電動送風機１０のケーシングのうち、小径のモータケーシング１２よりも大径とされたファンケーシング１１側において、電動送風機１０が弾性支持手段５０によって防振支持されている。
【００４６】
弾性支持手段５０は、図８に示すように、弾性部材からなる当接部５１と、当接部５１に連結されたボス部５２と、ボス部５２に装着されたコイルスプリング状の弾性体５３と、を備えて構成されている。
当接部５１は、略半球形状を呈しており、先端部がファンケーシング１１の外周面１１ｂに押圧されるようにして、ファンケーシング１１を支持するようになっている。本実施形態では、当接部５１がファンケーシング１１の外周面１１ｂの下部に設けられた下部フランジ部１１ｂ１周りに当接するように構成されている（図９参照）。ボス部５２は、側面視で中心部から放射状に延びる複数のリブ５２ａを有しており、複数のリブ５２ａの先端外周部でボス部５２を保持する円弧を形成している。弾性体５３は、複数のリブ５２ａの先端外周部に外嵌されてボス部５２に取り付けられる。
なお、ボス部５２は、複数のリブ５２ａにより形成されたものに限られることはなく、側面視で円形状、四角形状、三角形状、多角形状等、弾性体５３が外嵌されて固定されるものであれば種々の形状のものを採用し得る。
【００４７】
本実施形態では、弾性支持手段５０が円環状の支持部材５４に取り付けられており、モータケーシング１２の周方向に所定の間隔を置いて計３個配置されている。
支持部材５４は、図８に示すように、平らな上面を有するリング部５４ａと、このリング部５４ａの外周縁部から上方に直角に立ち上がる立上部５４ｂと、を有している。リング部５４ａの内径は、モータケーシング１２の外径よりも大きく形成されており、リング部５４ａとモータケーシング１２との間には、間隙が形成されるようになっている（図９参照）。また、図９に示すように、リング部５４ａの上面５４ａ１は、ファンケーシング１１の下面１１ｃに当接可能であり、下面１１ｃに上面５４ａ１が当接した状態で、各弾性支持手段５０の当接部５１が外周面１１ｂの下部フランジ部１１ｂ１周りに当接するようになっている。
【００４８】
各弾性支持手段５０は、軸心Ｏ１（図８参照）が、電動送風機１０の回転軸１３（図１０参照）に直交する面内（不図示）にそれぞれ位置するように、立上部４４ｂに取り付けられている。取り付けられた状態で、各弾性支持手段５０の当接部５１は、ファンケーシング１１側の頂点に内接する円の内径が、ファンケーシング１１の外径より若干小さくなるように設定されている。これにより、各弾性支持手段５０がファンケーシング１１の外周面１１ｂに密着して配置される。
なお、各弾性支持手段５０は、立上部４４ｂに図示しない孔や図示しない切欠きを形成することによって、これらを通じて取り付けることができる。
なお、当接部５１、ボス部５２、及び弾性体５３の大きさは適宜設定することができる。また、弾性支持手段５０の個数も適宜設定することができる。
【００４９】
このような弾性支持手段５０の配置される位置に対応して、図４に示すように、排気ダクト４０には、その収容部４１（第１収容部４１ａ）の開口部に、３つの凹部４１ｃが形成されている。各凹部４１ｃは、各弾性支持手段５０の弾性体５３の端部をそれぞれ収容可能な大きさに設けられており、各弾性体５３の端部を好適に支持するようになっている。
なお、第１収容部４１ａの外周面には、吸気ダクト３０を接続固定するためのボス部４１ｄが設けられている。
【００５０】
第２収容部４１ｂの底面には、図２に示すように、合成ゴム製の防振材４９が設置されている。防振材４９は、モータケーシング１２の下端部１７を収容保持するようになっており、掃除機本体２の落下等による衝撃が加わった際に、排気ダクト４０に電動送風機１０が直接衝突することを防止している。
防振材４９は、合成ゴム製のものに限られることはなく、ばね部材等で構成してもよい。
【００５１】
排気ダクト４０のダクト部４２は、図２に示すように、掃除機本体２の前側へ向けて延設されており（下流側が前側となっており）、その開口部には、パッキン４４を介してフィルタ４５が配置されている。フィルタ４５は、図示しないねじ等によって気密固定されている。これにより、排気ダクト４０とフィルタ４５との間の気密を保持でき、電動送風機１０の後記する排気口２ｄから排出される排気は、フィルタ４５を通過することとなる。
フィルタ４５は、断面形状が略四角形の枠体内にプリーツ状に折られたフィルタ部材が備わる。フィルタ部材の山谷方向は上下方向（重力作用方向）であることが好ましい。フィルタ４５は、例えば、高密度のＵＬＰＡフィルタ（Ultra Low Penetration Air Filter）を使用することができる。ＵＬＰＡフィルタは、定格風量で粒径が０.１５μｍの粒子に対して９９.９９９５％以上の粒子捕集率を有し、かつ初期圧力損失が２４５Ｐａ以下の性能を有するエアフィルタであり、ＨＥＰＡフィルタの粒子捕集効率よりも高い粒子捕集効率を備えている。このようなＵＬＰＡフィルタを使用することにより、掃除機本体２の後端面の排気口２ｄから排出される排気は、常に掃除機本体２の周囲の空気よりもきれいな空気とすることができる。
【００５２】
図２に示すように、電動送風機１０は、排気ダクト４０内において、電動送風機１０の吸込口１０ａが上方を向き（吸気ダクト３０の開口部３０ｎに対峙するように上方を向き）その回転軸１３が鉛直方向とされた縦置きの姿勢で設置（支持）されている。電動送風機１０は、上端の吸込口１０ａから、これとは反対側となる下端部１２ａまでの長さＬ（電動送風機１０の回転軸１３方向の全長Ｌ）が電動送風機１０の各寸法のうち最も大きな寸法となっている。つまり、電動送風機１０は、最大寸法が上下方向となる姿勢で掃除機本体２に収容されており、これによって、掃除機本体２の前後方向の寸法のコンパクト化が図られている。
【００５３】
電動送風機１０は、図１０に示すように、ファンケーシング１１とモータケーシング１２で外側を覆われ、その内部に、回転軸１３、回転軸１３と一体に設けられた回転子１３ａ、回転軸１３に締結された羽根車１４、流れを減速する静止翼１１ｄ、流れを変更するリターン流路１１ｅ、電磁力を発生させるステータ１５、及び電流を供給する整流ブラシ１６を内蔵する。
【００５４】
電動送風機１０は、ファンケーシング１１の外周面１１ｂ及び外周面１１ｂの下部フランジ部１１ｂ１が、全長Ｌの中心位置となる長さＬ／２の位置よりも吸込口１０ａ側（上側）となる位置に設けられている。つまり、前記した弾性支持手段５０は、図９に示すように、全長Ｌの中心位置となる長さＬ／２の位置よりも吸込口１０ａ側となる位置で、ファンケーシング１１を介して電動送風機１０を支持している。
つまり、電動送風機１０は、回転軸１３（図１０参照）の軸方向において、図２に示すように、上端の気密部材３５、及びこの気密部材３５とは別に設けられた弾性支持手段５０の２箇所（回転軸１３方向の２箇所）で支持されている。しかも、電動送風機１０は、長さＬ／２の位置よりも吸込口１０ａ側となる、振動の生じ易いファンケーシング１１側の２箇所で支持されているので、回転軸１３の軸方向において、上端の気密部材３５と弾性支持手段５０との間に、電動送風機１０の振動の節を積極的に設定するようにして支持される。別言すれば、電動送風機１０は、振動の節に相当する位置の近傍で弾性支持手段５０により押さえられるようにして支持されている。
【００５５】
図１０に示すように、このような電動送風機１０は、整流ブラシ１６に交流電圧が印加されると、回転子１３ａ及びステータ１５に電磁力が発生し、回転子１３ａとステータ１５とが互いに吸引もしくは反発して、回転軸１３が回転する。回転軸１３が回転すると、羽根車１４が回転し、吸込口１０ａから空気が吸引されて吸引力が発生する。
【００５６】
羽根車１４の回転により吸込口１０ａから吸引された空気は、羽根車１４により回転軸１３から離れる方向に風を発生させ、静止翼１１ｄに流入する。静止翼１１ｄに流入した空気は、減速され、ステータ１５、回転子１３ａを冷却し、モータケーシング１２の外周面に設けられた排気口１０ｂから排気ダクト４０（図２参照）の収容部４１に流出する。
【００５７】
図２に示すように、排気ダクト４０の収容部４１に流出した空気は、ダクト部４２に流れ、ダクト部４２のフィルタ４５を通じて排気ダクト４０の外部に排出される。その後、排気ダクト４０より排出された空気は、排気ダクト４０の下方に沿って掃除機本体２の内部を後側へ流れ、排気ダクト４０の後方に沿って上方向へ流れて掃除機本体２の排気口２ｄから外部に排出される。
なお、排気ダクト４０の下方に沿って流れる空気で、排気ダクト４０の下部に配置される電装品４８が冷却されるようになっている。
【００５８】
このような空気の流れにおいて、フィルタ４５は、集塵装置２０が装備するフィルタ２４が濾し取れない塵埃や、集塵装置２０を取り外したときに直接混入する塵埃、もしくは電動送風機１０から発塵する微細な塵埃を濾過する。したがって、掃除機本体２内に吸引された空気は、清浄した空気にされて掃除機本体２の外部に排出されることとなる。
【００５９】
図１１に示すように、掃除機本体２の後部から引出し可能に設けられたコード６１は先端にプラグ６２を有しており、このプラグ６２を部屋などにあるコンセントに差し込むことで電気を得る。コード６１は、コードリール室６３に設けられたコードリール６０に巻き付けられている。このように、掃除機本体２の後部の左側部内にコード６１を収納しておくことが、電気掃除機１の使用時や不使用時に邪魔にならないので好ましい。
なお、掃除機本体２の前部からプラグ６２やコード６１が取り出せるように掃除機本体２の前部にコードリール室６３を設けた場合、進行方向にプラグ６２やコード６１が出ることになるため掃除時に扱いづらい。また、掃除機本体２の側面部や上面部からプラグ６２やコード６１が出るように構成した場合にも掃除時に扱いづらい。
【００６０】
これに対して、本実施形態のように掃除機本体２の後部からプラグ６２やコード６１が引き出せるようにコードリール室６３を設けることで、掃除時には進行方向や方向転換の際の邪魔にならず、扱い易くなる。本実施形態では、電動送風機１０およびコードリール室６３は、掃除機本体２内で左右方向に隣接配置されている。また、電動送風機１０とコードリール室６３は、掃除機本体２内で集塵装置２０よりも後側に設けられている。
ここで、コードリール室６３の縦方向の長さは、電動送風機１０の縦方向の長さよりも長くされており、電動送風機１０と排気ダクト４０とを合わせた縦方向の長さよりも短くなるように設定されている。
【００６１】
次に、電動送風機１０の排気ダクト４０への組み付けおよび吸気ダクト３０の組み付けについて図２、図４、図８、図９等を参照して説明する。
初めに、弾性支持手段５０が予め取り付けられた支持部材５４を、電動送風機１０に装着する。支持部材５４は、電動送風機１０のモータケーシング１２の下方からモータケーシング１２を通じてファンケーシング１１に装着する。この際、支持部材５４のリング部５４ａの上面をファンケーシング１１の下面１１ｃに当接するようにして支持部材５４を装着し、ファンケーシング１１の外周面１１ｂ（下部フランジ部１１ｂ１）に弾性支持手段５０の当接部５１を当接させる（図８参照）。
【００６２】
次に、弾性支持手段５０が装着された電動送風機１０を排気ダクト４０の開口部から挿入する。このとき、弾性支持手段５０の各弾性体５３を排気ダクト４０の各凹部４１ｃ内に挿入する。
その後、シール部材４６を介して排気ダクト４０に吸気ダクト３０を装着し、図示しないねじを吸気ダクト３０の各ボス孔３９ｄに通してこれを排気ダクト４０のボス部４１ｄに締結する。これにより、排気ダクト４０に電動送風機１０が収容され、排気ダクト４０に吸気ダクト３０が取り付けられる。
【００６３】
排気ダクト４０に吸気ダクト３０が取り付けられると、吸気ダクト２７に固定された気密部材３５のリップ部３５ｂは、電動送風機１０のファンケーシング１１の気密面となる上面１１ａの吸込口１０ａの周りに接触する。この接触により、気密部材３５のベース部３５ａ及びリップ部３５ｂが変形し、図９に示すように、吸気ダクト３０の隔壁３０ｊの突状部３２ａの周りに形成された隙間Ｓの周辺部分に変形を生じる。この変形により反力が生じ、リップ部３５ｂは、ファンケーシング１１の上面１１ａに対して十分な面圧で当接する。これによって、気密部材３５とファンケーシング１１の上面１１ａとの気密が保持される。
【００６４】
このような気密部材３５により、電動送風機１０は下側に向けて押されることとなるが、電動送風機１０を支持している支持部材５４と排気ダクト４０の各凹部４１ｃに支持された弾性体５３の反力によって、電動送風機１０は上方への力を受けることとなり、気密部材３５とファンケーシング１１の上面１１ａとの密着性が高まるようになっている。
【００６５】
図２に示すように、電動送風機１０は、集塵装置２０を介した空気を吸気ダクト３０を介して吸込み、羽根車１４（図１０参照）で昇圧して、排気口１０ｂから排気ダクト４０に向けて押し出している。したがって、図９に示すように、気密部材３５のリップ部３５ｂを境にして、リップ部３５ｂの径方向内側Ｒ１は負圧、径方向外側Ｒ２は正圧となって圧力差を生じるが、ベース部３５ａを固定している固定部材３６が、負圧側へリップ部３５ｂが変形するのを抑えるように保持する。これにより、吸込側と排気側との気密が好適に保持されることとなり、排気側から吸気側に空気が流れることが好適に防止される。したがって、吸込性能の低下が好適に防止されるようになる。
【００６６】
なお、気密部材３５は、ファンケーシング１１の上面１１ａに当接した状態で、吸気ダクト３０の隔壁３０ｊの突状部３２ａとの間に隙間Ｓを有しており、弾性的に電動送風機１０を保持している。これにより、電動送風機１０から吸気ダクト３０への振動の伝達を気密部材３５で抑制することができる。本実施形態では、合成ゴム製の気密部材３５を用いているが、これよりも硬度の低いゴム等を使用して、吸気ダクト３０への振動の伝達量を低減するようにしてもよい。
【００６７】
以上説明した本実施形態の電気掃除機１によれば、電動送風機１０の略回転軸１３方向における気密を保持する気密部材３５と、気密部材３５とは別に設けられ、電動送風機１０を支持する弾性支持手段５０と、を備え、弾性支持手段５０は、電動送風機１０の回転軸１３方向の全長Ｌの中心位置（Ｌ／２）よりも気密部材３５側となる位置であるファンケーシング１１の外周面１１ｂにおいて、回転軸１３に直交する方向から電動送風機１０を支持しているので、電動送風機１０の振動運動は、電動送風機１０の上部（ファンケーシング１１）を中心とした運動に変化し、並進振動、コニカル振動を区別することなくこれらの両方の振動を防振することができ、掃除機本体２に伝わる回転振動が低減される。つまり、吸込側に近い側を弾性支持手段５０によって積極的に支持することにより、吸込側に生じる振動を積極的に抑えて気密性が損なわれないようにしつつ、電動送風機１０の振動を抑えている。これにより、電動送風機１０の回転振動に起因する騒音を効果的に低減することができる。
【００６８】
しかも、弾性支持手段５０により支持されるファンケーシング１１内には、回転子１３ａよりも大径とされた羽根車１４が収容されており、高速回転する羽根車１４の遠心力等によって、ファンケーシング１１に生じる振動がモータケーシング１２側に生じる振動に比べて大きなものとなっている（振れが大きくなる部分である）ので、ファンケーシング１１側で電動送風機１０を積極的に支持することによって、電動送風機１０に生じる振動を好適に防振することができる。
【００６９】
また、電動送風機１０は、振動の節に相当する位置の近傍で弾性支持手段５０により支持されているので、効率よく振動を抑えることができ、電動送風機１０の回転振動に起因する騒音を効果的に低減することができる。
【００７０】
また、弾性支持手段５０は、支持部材５４に支持されているので、支持部材５４を電動送風機１０に組み付けることによって弾性支持手段５０を電動送風機１０に簡単に組み付けることができる。このことは生産性の向上に寄与する。
【００７１】
気密部材３５は、吸気ダクト３０の隔壁３０ｊの突状部３２ａの周りに、隙間Ｓを介して装着されているので、隙間Ｓの周辺部分においてベース部３５ａ及びリップ部３５ｂを好適に変形させることができる。これにより、変形による反力でリップ部３５ｂを十分な面圧でファンケーシング１１の上面１１ａに当接させることができ、気密性を確保することができる。したがって、電気掃除機１の吸込性能を好適に維持することができ、また、排気がされる空気に吸気側の空気が含まれることがなく排気される空気が清潔なものとなる。
また、好適な気密性を確保することができるので、リップ部３５ｂの肉厚を径方向に分厚く形成する必要がなくなり、肉厚化による接触面積の増大から気密部材３５を介して振動の伝達量が増えてしまうこともない。
本実施形態の気密部材３５では、電動送風機１０の下流のダクト部４２に備わるフィルタ４５に仮に目詰まりが生じた場合に、例えば、２０ｋＰａ以上の正圧が排気側に加わることとなっても、気密部材３５による気密性を好適に確保することが可能である。
【００７２】
気密部材３５は、吸込口１０ａの近傍にてファンケーシング１１の上面１１ａにリップ部３５ｂが当接して気密性を保持しているので、ファンケーシング１１の外周面１１ｂや外周面１１ｂの近傍で上面１１ａに当接して気密性を保持する場合に比べて、振動の伝達面積ならびに気密面積が小さくなり、防振性及び気密性を好適に確保することができる。
【００７３】
また、気密部材３５の押圧による弾性支持手段５０の弾性体５３の反力によって、電動送風機１０が上方への力を受けるようになっており、気密部材３５とファンケーシング１１の上面１１ａとの気密性が高まるようになっているので、これらの間の気密性が好適に保持され、電気掃除機１の吸込性能を好適に維持することができる。
【００７４】
しかも、気密部材３５を固定している固定部材３６は、負圧側へリップ部３５ｂが変形するのを抑えるように気密部材３５を保持するようになっているので、吸込側と排気側との気密が好適に保持されることとなり、吸込性能の低下を好適に防止することができる。
【００７５】
さらに、気密部材３５は、ファンケーシング１１の上面１１ａに当接した状態で、吸気ダクト３０の隔壁３０ｊの突状部３２ａとの間に隙間Ｓを有しており、弾性的に電動送風機１０を保持しているので、電動送風機１０の振動を好適に抑えることができる。
【００７６】
また、電動送風機１０は、最大寸法である上端の吸込口１０ａからこれとは反対側となる下端部１２ａまでの長さＬが上下方向となる（回転軸１３が鉛直方向となる）縦置きの姿勢で、掃除機本体２に収容されているので、掃除機本体２の前後方向の寸法のコンパクト化が可能であり、取扱性に優れた電気掃除機１が得られる。
【００７７】
また、電動送風機１０を収容しているケースは、吸気ダクト３０と排気ダクト４０とからなり、シール部材４６を介して結合（装着）されているので、前記した気密部材３５が設けられていることと相俟って、吸気側と排気側の気密性を好適に確保することができる。
【００７８】
なお、弾性支持手段５０は、電動送風機１０の全長Ｌの中心位置となる長さＬ／２の位置よりも吸込口１０ａ側となる位置であれば、図１０に示すように、電動送風機１０の重心Ｇの近傍位置において、モータケーシング１２を支持するように構成してもよい。
【００７９】
（第２実施形態）
図１２を参照して第２実施形態の電気掃除機１について説明する。本実施形態が前記第１実施形態と異なるところは、電動送風機１０の回転軸１３（図１０参照）が掃除機本体２の前後方向（前後方向（水平方向））に向けられて掃除機本体２内に収容されている点である。
【００８０】
吸気ダクト３８は、気密部材３５が備わる隔壁３０ｊと、この隔壁３０ｊの前面に接続された導風路３８ａとを有している。導風路３８ａの前端部は、塵埃収容部２２のフィルタ２４の後面に接続可能に構成されている。
【００８１】
排気ダクト４０のダクト部４２は、下方へ向けられており、排気ダクト４０は、掃除機本体２の下部空間にフィルタ４５が位置するように配置されている。
【００８２】
本実施形態においても、前記第１実施形態で説明した作用効果と同様の作用効果が得られる。加えて、本実施形態の電気掃除機１では、吸気ダクト３０を簡略化することができ、製造コストの低減を図ることができる。
また、掃除機本体２内の上下方向に、排気ダクト４０のダクト部４２及びフィルタ４５を収納することができるので、上下方向のスペースを効率よく利用したレイアウトが可能である。このことは、掃除機本体２の小型化に寄与する。
また、第１実施形態の電気掃除機１に比べて、フィルタ４５が掃除機本体２の後側に位置しているので、フィルタ４５から排気口２ｄまでの排気路を短くすることができ、より効率のよい排気を実現することができる。
【００８３】
前記第１、第２実施形態では、弾性支持手段５０がファンケーシング１１を支持する構成を示したが、これに限られることはなく、電動送風機１０の全長Ｌの中心位置となる長さＬ／２の位置よりも吸込口１０ａ側となる位置であれば、図１０に示すように、電動送風機１０の重心Ｇの近傍位置においてモータケーシング１２を支持するように構成してもよい。
【００８４】
また、ケースは、給気ダクト３０と排気ダクト４０とから構成したが、これに限られることはなく、電動送風機１０が収容できるものであれば、いずれか一方のみで構成してもよい。
【符号の説明】
【００８５】
１      電気掃除機
２      掃除機本体
１０    電動送風機
１０ａ  吸込口
１１    ファンケーシング
１１ｂ  側面
１１ｂ１  下部フランジ部
１２    モータケーシング
１３    回転軸
２０    集塵装置
３０    吸気ダクト（第２の部材（ケース））
３０ｎ  開口部（吸込部）
３５    気密部材
４０    排気ダクト（第１の部材（ケース））
４５    フィルタ
４６    シール部材
５０    弾性支持手段
５４    支持部材
Ｌ      全長
【図１】
2013000137.tif 000003
【図２】
2013000137.tif 000004
【図３】
2013000137.tif 000005
【図４】
2013000137.tif 000006
【図５】
2013000137.tif 000007
【図６】
2013000137.tif 000008
【図７】
2013000137.tif 000009
【図８】
2013000137.tif 000010
【図９】
2013000137.tif 000011
【図１０】
2013000137.tif 000012
【図１１】
2013000137.tif 000013
【図１２】
2013000137.tif 000014